(57)【要約】  記録された患者の主観的情報記録として患者からの主観的情報入力を記録し、記録された患者のセンサ記録としてセンサで患者の状態を監視するとともに記録し、そして記録された患者の主観的記録と、記録された患者のセンサ記録とを自動的に関連付けることにより、患者の健康情報が体系化されるとともに相関取りされる。関連付けを、それぞれ主観的情報時間マーカーおよびセンサ時間マーカーの使用を介して行って、主観的／センサ記録を作成してもよい。
2005512608.tif 000002
【特許請求の範囲】
【請求項１】
患者の健康情報を体系化するとともに相関を取る方法であって、
前記患者に関連付けられて、前記患者の状態を監視し、センサ出力を発生する少なくとも一つのセンサ、
主観的情報入力を受信し、主観的情報出力を提供するよう動作可能な主観的情報受信機、
前記少なくとも一つのセンサからの前記センサ出力と、前記主観的情報受信機からの前記主観的情報出力とを記録するよう動作可能な記録器、および
前記記録器と通信する送受信機を備えた遠隔監視ユニットと、
前記遠隔監視ユニットに電力を提供するよう接続された電源とを含む監視装置を提供するステップと、
前記記録器が、主観的情報時間マーカーとともに前記主観的情報出力を受信および記録するステップと、
前記記録器が、センサ時間マーカーとともに前記センサ出力を受信および記録するステップと、
前記主観的情報時間マーカーおよび前記センサ時間マーカーを用いて前記記録された主観的情報出力を前記記録されたセンサ出力と自動的に、時間的に関連付けて、関連付けられた主観的／センサ記録を形成するステップとを含む方法。
【請求項２】
前記主観的情報入力は、音声入力である請求項１の方法。
【請求項３】
前記主観的情報入力は、筆記入力である請求項１の方法。
【請求項４】
前記監視装置は、主観的情報を受信するために前記主観的情報受信機を起動させる、患者が操作可能な主観的情報受信機起動制御装置を更に含む請求項１の方法。
【請求項５】
前記監視装置は、主観的情報を受信するために前記主観的情報受信機を起動させる、前記送受信機を介して遠隔的に操作可能な主観的情報受信機起動制御装置を更に含む請求項１の方法。
【請求項６】
前記監視装置は、主観的情報を受信するために前記主観的情報受信機を起動させる、前記遠隔監視ユニットにより操作可能な主観的情報受信機起動制御装置を更に含む請求項１の方法。
【請求項７】
前記主観的情報出力を受信および記録する前記ステップは、デジタル形式の主観的情報記録を生成し、そして、
前記センサ出力を受信および記録する前記ステップは、デジタル形式のセンサ記録を生成する請求項１の方法。
【請求項８】
前記主観的情報出力を受信および記録する前記ステップは、アナログ形式の主観的情報記録を生成し、そして、
前記センサ出力を受信および記録する前記ステップは、アナログ形式のセンサ記録を生成する請求項１の方法。
【請求項９】
前記送受信機は、無線周波数送受信機である請求項１の方法。
【請求項１０】
自動的に時間的に関連付ける前記ステップの後に、前記主観的／センサ記録を出力する追加ステップを含む請求項１の方法。
【請求項１１】
前記記録器は、前記センサ出力および前記主観的情報出力の両方を記録するよう動作可能な単一ユニットを備える請求項１の方法。
【請求項１２】
前記監視装置は、前記送受信機を介して前記記録器と通信するよう動作可能な中央ユニットを更に含む請求項１の方法。
【請求項１３】
患者の健康情報を体系化するとともに相関を取る方法であって、
記録された患者の主観的情報記録として前記患者からの主観的入力を主観的情報時間マーカーともに記録するステップと、
記録された患者のセンサ記録として前記患者の状態をセンサで監視するとともにセンサ時間マーカーと共に記録するステップと、
前記主観的情報時間マーカーおよび前記センサ時間マーカーをそれぞれ介して、前記記録された患者の主観的情報記録および前記記録された患者のセンサ記録を自動的に関連付けて、主観的／センサ記録を生成するステップとを含む方法。
【請求項１４】
前記主観的情報入力は、音声入力である請求項１３の方法。
【請求項１５】
前記主観的情報入力は、筆記入力である請求項１３の方法。
【請求項１６】
前記記録された患者の主観的記録は、デジタル形式の主観的記録であり、
前記記録された患者のセンサ記録は、デジタル形式のセンサ記録である請求項１３の方法。
【請求項１７】
自動的に関連付ける前記ステップの後に、前記主観的／センサ記録を出力する追加ステップを含む請求項１３の方法。
【請求項１８】
主観的入力を記録する前記ステップは、前記患者に主観的入力を行うよう催促するステップを含む請求項１３の方法。
【請求項１９】
主観的情報入力を記録する前記ステップは、前記患者の状態を前記センサで監視するとともに記録する前記ステップに応じて前記患者に主観的入力を行うよう催促するステップを含む請求項１３の方法。
【請求項２０】
患者の健康情報を体系化するとともに相関を取る方法であって、
記録された患者の主観的情報記録として前記患者からの主観的入力を記録するステップと、
記録された患者のセンサ記録として前記患者の状態をセンサで監視するとともに記録するステップと、
前記記録された患者の主観的情報記録および前記記録された患者のセンサ記録を自動的に関連付けるステップとを含む方法。
【発明の詳細な説明】
【技術分野】
【０００１】
本発明は患者の監視に関し、より詳細には、監視に関連するセンサ情報と主観的情報との相関取りに関する。
【背景技術】
【０００２】
患者の日記は、健康状態が監視されている患者、特に通院しているかもしくは他の理由で病院環境での連続観察下にない患者の医学的状態を分析する重要なツールである。センサは客観的な生理的健康状態の証しを記録するが、対象となるイベント中に患者が何を行い、何を感じ、観察しているかの主観的な日記記録は、医師がセンサ記録を解釈して診断する上で支援となる情報を提供する。医師は、センサ記録と日記記録の双方から、特定の生理的状態が患者の活動により発生するのか、または他の何らかの原因により発生するのかを理解できるかもしれない。センサ記録を、対象となるイベント中の患者の感覚と相関を取ることもできる。
【０００３】
患者の主観的な日記は、筆記形式またはテープ記録形式で保存してもよい。どちらの場合でも、日記記録の作成に伴って問題が発生することが多い。ある状況では、患者は日記記入の必要性に気付かずに日記記録をつけない。患者が生理的問題に気付いて日記をつける場合でも、日記記入は対象となるイベントのずっと後の時間に行われるかもしれない。心臓の問題の場合のように、イベント自体が生命をおびやかすか、またはそう感じられるかもしれないので、患者はイベントが起きたとき、そのイベントに気を取られていることが多く、筆記式の日記記入をそのイベントと同時に行うのは容易ではない。また、イベント後では、患者は日記記入を忘れるかもしれない。患者が覚えていて後で記入する場合であっても、患者は、記入のきっかけとなった感覚が現れた時間を間違えたり、その感覚の順序またはタイミングを思い出すのに間違えたりするかもしれない。後からでは、患者は最も重要な感覚を思い出せずに、不正確および／または無関係な情報が記録され、最も重要な情報は記録されないかもしれない。
【０００４】
したがって、患者の日記は、監視対象である患者を理解し診断するのに重要な情報であるが、必要な記入は何らかの記入漏れまたは間違いがあることが多い。それ故、監視対象の患者の患者日記をセンサ記録と連携させて管理する改良されたやり方に対するニーズがある。本発明はこの必要性を満たし、更に、関連する利点を提供する。
【発明の開示】
【０００５】
本発明は、対象となるイベントのセンサ記録と同時に主観的記録が作成される、監視対象の患者の主観的記録法を提供する。主観的記録は、例えば、音声記録または筆記式記録を含んでもよい。主観的記録は、患者の日記を含むとともに、更に他の主観的情報を含むこともあり、客観的なセンサ記録と自動的に相関を取られる。患者は、日記を別個に筆記または記録する必要性から解放され、医師は完全で正確なセンサ記録および相関を取られた主観的記録を得られる。音声形式で入力された主観的記録は、分かれた筆記式日記記録よりもより完全であることが多い。なぜならば、多くの人は筆記よりも口頭での方がより容易に感覚を伝えることができるからである。更に、音声記録と日記は、筆記では容易に伝えることができない声の抑揚、緊張した音声等を捕捉できることが多い。
【０００６】
本発明によれば、患者の健康情報を体系化するとともに相関を取る方法は、記録された患者の主観的記録として患者からの主観的入力を記録するステップと、記録された患者のセンサ記録としてセンサにより患者の状態を監視するとともに記録するステップと、記録された患者の主観的記録および記録された患者のセンサ記録を自動的に関連付けるステップとを含む。一実施の形態では、主観的記録は主観的記録時間マーカーとともに記録され、センサ記録はセンサ時間マーカーとともに記録され、そして主観的記録およびセンサ記録は、それぞれの時間マーカーを用いて関連付けられる。自動的に関連付けるステップの後、主観的／センサ記録は、典型的には、書面またはコンピュータ互換形式で出力される。
【０００７】
主観的記録は、発話による日記記入形式での患者からの音声入力を含むことが好ましい。発話によらない患者の音声、苦痛の音声、居合わす人の言葉、介護人の言葉等、他の音声情報も同様に主観的記録の一部としてもよい。記録された患者の音声記録はデジタルまたはアナログの音声記録形式でもよく、記録された患者のセンサ記録はデジタルセンサ記録でもアナログセンサ記録でもよい。主観的記録は、患者からの筆記入力を更に含んでも、含まなくてもよい。いずれの場合も、患者の入力は自発的に行われてもよく、あるいは、例えばセンサで患者の状態を監視し記録するステップに応答して促されて行われてもよい。「主観的記録」とは、センサによる客観的な測定値から発生したものではない入力情報を意味する。
【０００８】
本方法は、任意の実施可能な装置を用いて実行されてもよい。好ましくは、遠隔監視ユニットと、遠隔監視ユニットに電力を供給するよう接続された電源とを含む監視装置が提供される。遠隔監視ユニットは、患者に関連付けられ、患者の状態を監視する、少なくとも一つのセンサを備え、また、各センサはセンサ出力を発生する。主観的入力器は、音声または筆記式情報等の主観的入力を受信するとともに、主観的情報出力を提供するよう動作できる。記録器は、センサからのセンサ出力、および主観的入力器からの主観的情報出力を記録する。送受信機は、マイクロプロセッサとの間で通信を行う。記録器は主観的情報出力を主観的情報時間マーカーとともに受信および記録し、記録器はセンサ出力をセンサ時間マーカーとともに受信および記録する。記録された主観的情報出力は、主観的情報時間マーカーおよびセンサ時間マーカーを用いて、記録されたセンサ出力と自動的に、時間的に関連付けられ、関連付けられた主観的／センサ記録を形成する。
【０００９】
監視装置は、患者が操作可能な主観的入力器起動制御装置を更に含んでもよく、それにより、音声または筆記形式の主観的情報を受信するよう主観的入力器が起動される。監視装置は、送受信機を介して遠隔操作可能な、または遠隔監視ユニットにより局所的に操作可能な主観的入力器起動制御装置を含んでもよく、それにより、主観的情報を受信するよう主観的入力器が起動される。後者のやり方は、主観的入力器が患者とは無関係に起動され、特に主観的入力器が音声受信機の場合に有用である。患者は自発的に日記をつけてもよいし、あるいは日記情報を提供するよう促されてもよい。後者の場合、患者が選択した言葉で口頭または筆記で記入を行うように患者を促してもよいし、患者に一連の質問を行って、医療関係者にとって最も有用であるかもしれない、特定の症状または動作についての情報を引き出してもよいし、またはその両方でもよい。入力を促す催促および質問は、医療関係者から与えられて、システムへ事前にプログラムされていてもよい。
【００１０】
この方式は、患者および第三者からの日記および他の情報を、対象となるイベントと同時に記録する。それにより、患者が日記記入を忘れずに確実に行い、センサ記録と主観的記録との直接的な時間の相関取りが確実に行われ、そして患者の記憶が不正確であるかもしれない事後にではなく、発生時に患者の活動と感覚についての情報が得られる。イベント発生時に患者が自発的な記入を行わない場合に、患者に記入を行うよう催促により促してもよい。本発明の他の特長および利点は、実施例として本発明の原理を説明する添付図面と連携した、以下の好適な実施の形態のより詳細な説明から明らかとなろう。しかしながら、本発明の範囲はこの好適な実施の形態に制限されるものではない。
【発明を実施するための最良の形態】
【００１１】
図１は、患者に関する健康情報を体系化し、相関を取る方法に至る好ましい方式を説明する。監視装置が提供される（符号２０）。監視装置は任意の実施可能な種類でよい。監視装置は、常時観察下にあって行動範囲が病院内に限定されてはいない通院患者を監視するようなされているのが好ましい。この方式は、管理された病院の環境で実施可能であり有用であるが、通院患者に対して適用した場合に最も有益となる。
【００１２】
好ましい監視装置４０を図２に示す。本監視装置４０は、概して米国特許第５，９５９，５２９号に記載されている種類のものであり、その開示は引用して組み込むが、本明細書で説明するように修正する。監視装置４０は、中央ユニット４２と、監視対象である通院患者と関連付けられる遠隔監視ユニット４４と、患者と関連付けられて遠隔監視ユニット４４へ電力を供給する電源４６とを含む。（図面の煩雑さを避けるため、図２には、電源４６から遠隔監視ユニット４４の個々の構成部品への相互接続は示さない）。電源４６は、典型的にはバッテリの形式をとるが、熱電器等、患者を電力源とする電源でもよく、または光起電器等、環境を電力源とする電源でもよい。中央ユニット４２は、通常、遠隔監視ユニット４４から離れた固定または可動の位置にあり、複数の個別患者により携行される複数の異なる遠隔監視ユニットを監視できる。
【００１３】
遠隔監視ユニット４４は、患者と関連付けられ、患者の状況を監視する少なくとも一つのセンサ４８を含む。各センサ４８は、センサ信号５０を発生する。センサ信号５０は、典型的にはセンサ制御装置５２に提供される。センサ制御装置５２はセンサ信号５０を調整し、システムへのセンサ情報入力となるセンサ出力５４を発生する。センサ出力５４は、デジタル形式でもアナログ形式でもよい。デジタル化を行う場合は、センサ制御装置５２内の従来型アナログ／デジタル変換器により実行する。センサ４８は、任意の実施可能な種類でよい。この例には、心臓監視センサ、血圧監視センサ、体温監視センサ、脳波センサ、血液グルコースセンサ、血液酸素センサ、および動作センサが含まれる。かかるセンサ４８およびそれぞれのセンサ制御装置５２は、従来技術で周知である。
【００１４】
遠隔監視ユニット４４およびセンサ４８の全てまたは一部は、患者に埋め込まれるか、または患者の身体に外付けされる。
【００１５】
遠隔監視ユニット４４は、また、任意の実施可能な種類の主観的入力器を含む。２種類の主観的入力器に特に注目し、その説明を行う。最も好ましい主観的入力器は、マイクロホン５８を介して周囲環境から音声入力を受信し、システムへの主観的情報入力となる主観的情報出力６０を提供するよう動作可能な音声受信機５６である。主観的情報出力６０は、デジタル形式でもアナログ形式でもよい。この出力は未処理の音声信号でもよく、または市販の音声認識ソフトウエアを介して処理されていてもよい。この構成で、遠隔監視ユニット４４は、周囲環境から音声入力を受信する。音声受信機５６はオプションとして音声送信機を含んでもよく、また、マイクロホン５８はオプションとしてスピーカーを含んでもよく、望むならば、遠隔監視ユニット４４と患者間の双方向通信が確立できる。
【００１６】
音声受信機起動制御装置６２は、音声受信機５６を起動してマイクロホン５８からの音声信号を受信可能とする（オプションとしてオプションスピーカーを介して音声信号を送信する）。音声受信機起動制御装置６２は、ボタン、機器または音声による命令の形式で患者が選択的に操作してもよい。代替として、またはそれに加えて、音声受信機起動制御装置６２を、内部論理回路を介して遠隔監視ユニット４４自体により局所操作するか、または遠隔監視ユニット４４を中央ユニット４２の同様な送受信機と接続する遠隔監視ユニット４４の送受信機６４を介して、中央ユニット４２により遠隔操作してもよい。送受信機６４は、携帯電話接続等の無線周波数送受信機であるのが好ましいが、代替として、地上電話線、直接接続、赤外線接続、マイクロ波接続等でもよい。
【００１７】
第２の主観的入力器は、キーパッドまたはその他の筆記式情報入力器５８ａおよび筆記式受信機起動制御装置６２ａと連携して動作する、筆記式情報受信機５６ａである。音声受信機５６の場合と同様に、筆記式情報受信機５６ａは、患者に見えるディスプレイを介して動作する出力能力を有してもよい。上記の要素５６、５８、および６２の説明を、音声入力／出力の代わりに筆記入力／出力を適用して修正し、ここに組み込む。一般に出力６０は、主観的情報出力である。
【００１８】
音声および筆記式の主観的入力器の特徴は、効果的な動作および通信のため必要に応じて相互交換可能に用いてもよい。例えば、筆記式情報受信機を用いる場合であっても、患者への出力は音声形式であってもよく、筆記入力を導き出すのため患者に音声の催促および質問を発話してもよい。本明細書中では、音声および筆記入力を「主観的情報」と総称する。なぜなら、それらは患者からの、場合によっては、医療に明るくない観察者および／または現場の医療関係者等の居合わす人からの、非センサの非定量的な情報を含むからである。別の例では、筆記式選択メニューにより患者を促して主観的患者入力を求めてもよく、実際の主観的患者入力は筆記または口頭のいずれかとしてもよい。
【００１９】
遠隔監視ユニット４４は、センサ時間マーカー６８をセンサ出力５４に、そして主観的情報時間マーカー７０を主観的情報出力６０に提供する時間基準ソース６６を含む。センサ時間マーカー６８はセンサ出力５４と関連付けられ、主観的時間マーカー７０は主観的情報出力６０と関連付けられる。時間マーカー６８および７０は、時間基準ソース６６のクロックにより提供される絶対時間値であることが好ましい。時間マーカー６８および７０は、絶対時間マーカーである必要はないが、既知の関係を互いに有していなければならない。しかしながら、注目するセンサおよび主観的情報を外部世界と相関を取るために、絶対時間値を用いるのが好ましい。
【００２０】
遠隔監視ユニット４４は、センサ５０からの時間マーク付きセンサ出力５４を（センサ情報入力として）、そして音声受信機５６および／または筆記式受信機５６ａからの時間マーク付き主観的情報出力６０を（主観的情報入力として）、記録するよう動作可能な記録器７２を更に含む。記録器７２は、遠隔監視ユニット４４に組み込まれたマイクロプロセッサ／中央処理装置の制御下にあるスタンドアローン型機器であってもよい。センサ出力５４および主観的情報出力６０がデジタル化される場合は、代替として、マイクロプロセッサ／中央処理装置とその関連したメモリとにより記録機能を遂行してもよい。一般化のため、記録器７２は、時間マーク付きセンサ出力５４を受信し記録する第１ユニット７４、および時間マーク付き主観的情報出力６０を受信し記録する第２ユニット７６を有するものとして図示してあるが、２つのユニット７４および７６は、単体機器として実施してもよい。
【００２１】
上記の説明で、時間基準ソース６６は、センサ出力５４および主観的情報出力６０を、それらが記録器７２に到達する前にマーク付けするとして説明したが、個別の時間マーカーまたは単一の時間マーカーを用いて、記録器７２により、および記録器７２内で、それらをマーク付けしても等価である。時間マーク付けに関して必要なことは、記録器７２内であれ、それ以外であれ、センサ出力５４および主観的情報出力６０を時間的に関連付けできることである。センサ出力５４および主観的情報出力６０を同一時間スケールに記録する場合は、時間マーカーを用いる必要はない。センサ出力５４および主観的情報出力６０は、いずれにせよ関連付けられ、かつ相関を取れるためである。しかしながら、センサ出力５４および主観的情報出力６０を遠隔監視ユニット４４の外部で起こるその他イベントと相関を取れるように、時間マーカーを用いる方が一般的には好ましい。
【００２２】
図１の検討に戻ると、図２の監視装置４０が作動し（符号２２）、主観的情報出力６０を受信して記録し（符号２４）、そしてセンサ出力５４を受信して記録する（符号２６）。図３は、センサ出力５４および主観的情報出力６０の典型的な一連のイベントを図示するが、本方法はこの一連のイベントに制限されるものではない。センサ出力５４は当初、第１期間８０において正常である。時間８２で、センサ出力５４は、正常なセンサ出力から何らかの形で逸脱するが、これは普通、医療関係者が定めた閾値をセンサ出力が超えることにより識別される。音声受信機５６または筆記式受信機５６ａは、時間８４で起動される。主観的情報出力６０は、その後、記載のように受信されて記録される。主観的情報出力６０は、典型的には、患者が発話するイベントおよび感覚についての認識の同時説明を含み、また環境音および第三者のコメント等、他の音声情報も含む。センサ時間マーカー８６および主観的情報時間マーカー８８は、上記方法で、センサ出力５４および主観的情報出力６０にそれぞれ適用され、それにより、それら出力は後で時間的に関連付けできる。
【００２３】
主観的情報出力６０の開始時間８４は、センサ出力５４の異常値の開始時間８２の前、同時、または後であってもよい。例えば、センサ出力５４の正常値から逸脱する時間８２の前に、または同時に、患者は音声受信機起動制御装置６２を操作して異常な感覚を指示し、または特定の身体的活動を記録してもよい。患者は、場合によっては、センサ出力５４の異常値の開始時間８２の前には、および同時には、異常を何も感じないかもしれない。その場合にはオプションとして、センサ出力５４の異常値の開始時間８２の後で、または異常値の開始後に、伝達される口頭催促９０等により、患者に日記記入開始を促してもよい（図１の符号２８）。マイクロホン５８にスピーカーが設けられ、音声受信機５６が送信機としても動作するオプションの場合、かかる催促が行われるのが普通である。その場合、音声受信機起動制御装置６２を操作するよう患者を促してもよいし、音声受信機起動制御装置６２の起動を、遠隔監視ユニット４４により局所的にまたは中央ユニット４２により遠隔的に、自動的に行ってもよい。遠隔監視ユニット４４および／または中央ユニット４２は、典型的には、論理プロセッサを含んでセンサ出力５４の異常を検出し、次いで（患者による操作なしで）音声受信機起動制御装置６２を起動し、そして患者に日記記入の発話を開始するよう促す。催促９０がある場合は、中央ユニット４２との通信接続を確立する時間遅延を避けるために、遠隔監視ユニット４４自体の論理回路により局所的に開始されるのが好ましい。
【００２４】
時間マーク付けされたセンサ出力５４および時間マーク付けされた主観的情報出力６０が記録器７２に記録されると、それぞれ時間マーカー８６および８８を介して時間的に関連付けられ（符号３０）、主観的／センサ記録を形成する。（すなわち、出力５４および６０は、それぞれ時間マーカー８６および８８の存在を介して関連付けられ、故に、用語「時間的に（temporally）」を使用する。用語「時間的に」は、関連が短時間、つまり「一時的に（temporarily）」、だけではないことを示唆する。）関連付けステップ３０を遠隔監視ユニット４４で遂行し、そして結合された主観的／センサ記録を送受信機６４を介して中央ユニット４２へ送信してもよい（符号３２）。代替として、別々の、センサ出力５４の記録と、主観的情報出力６０の記録とを、送受信機６４を介して中央ユニット４２へ個別に送信し（符号３２）、関連付けステップ３０を中央ユニット４２で実行してもよい。したがって、ステップ３０は、図示したようにステップ３２に先行してもよいし、ステップ３２に後続してもよい。
【００２５】
監視装置４０の関連付け、分析および論理実行の各能力は、任意の実施可能な方法で中央ユニット４２と遠隔監視ユニット４４とに割り当ててもよい。これらの機能を遠隔監視ユニット４４に割り当てて、中央ユニット４２を主として送受信機端末として利用してもよいし、あるいはこれらの機能を中央ユニット４２に割り当てて、遠隔監視ユニット４４を主として送受信機端末として利用してもよい。より典型的には、システムの機能性と経済性の組合せが最良となる方法で、中央ユニット４２と遠隔監視ユニット４４とに各機能が割り当てられる。
【００２６】
オプションとして、関連付けられた主観的／センサ記録は、中央ユニット４２から出力器４３に（符号３４）、出力される（符号３４）。出力器４３は、中央ユニット４２にあるビデオディスプレイやプリンタおよび／または音声出力器等のローカルな機器、または中央ユニット４２にある格納器であってもよい。代替として、患者の医師への地上線電話接続等の遠隔接続であってもよい。送受信機６４を介する通信が確立した後は、出力ステップ３４は、イベントの発生とほぼ同時に、またはイベントから僅かな時間遅延を伴って開始してもよく、それにより、記録を評価する人が送受信機６４を介して患者へ返信することで患者がイベントに応答するのを支援できる。支援が提供され、一人ではないと患者が知ることで、患者は安心し、落ち着くことが多い。代替として、またはそれに加えて、イベントをより完全に診断するためセンサおよび音声の記録を後で再生してもよい。同時応答は、医療関係者が患者を診断できるようにするため緊急時に適切であり、遅延応答は、日常的もしくは緊急でない異常時の場合に、または緊急時の事後評価に適切である。典型的な場合には、センサ出力５４は、画面に表示されるかまたは印刷され、そして主観的情報出力６０は、画面に表示され、もしくは印刷され、または、主観的／センサ記録を分析する人が容易にその音声を聞いてセンサ出力と相関を取れるように、音声信号として出力される。
【００２７】
このように本方式は、患者の主観的情報出力とセンサ出力との直接的相関を提供する。相関を取った情報は、特に通院患者の場合、緊急事態に応答し診断を提供するために非常に有用である。先に検討したように、関連付けられた情報は、上記のような監視装置４０の場合に適用できる。また、相関を取った情報は、例えば、ホルター心電計、イベント監視、およびイベントループ記録計監視、ＥＣＧストレス試験システム、埋込型ＥＣＧモニタ／記録計、埋込型心臓細動除去器、外付型心臓細動除去器、ペースメーカー、および睡眠時無呼吸モニタ等他の種類の状況監視および監視装置にも適用できる。
【００２８】
本発明の特定の実施の形態を説明するために詳細に記載したが、本発明の精神と範囲から逸脱することなく、種々の改変および補強がなされてもよい。従って、本発明は、添付請求項によってのみ制限を受ける。
【図面の簡単な説明】
【００２９】
【図１】本発明を実施するための好ましい方法のブロックフロー図である。
【図２】図１の方法と連携して用いられる好ましい装置の概略図である。
【図３】時間関数としてのセンサ出力および音声出力の概略図である。
【図１】
2005512608.tif 000003
【図２】
2005512608.tif 000004
【図３】
2005512608.tif 000005
【国際調査報告】
2005512608.tif 000006
2005512608.tif 000007
2005512608.tif 000008